(57)【要約】【課題】電力の変換効率を向上させることができるとともに、遊技球のエネルギが最大となる位置での電力変換を行わせて十分な電力を得ることができるパチンコ遊技機の島設備を提供する。【解決手段】パチンコ遊技機２が複数並列して設置され、当該パチンコ遊技機２に電力を供給し得るとともに、遊技球が自重により流下する流路を具備したパチンコ遊技機の島設備において、流路を流れる遊技球が有するエネルギを電力に変換する電力変換手段１２を有するとともに、当該電力変換手段１２が遊技球の落下に伴う圧力又は振動を電圧に変換する圧電素子から成るものである。【選択図】図２
2010142386.tif 000002
【特許請求の範囲】
【請求項１】
パチンコ遊技機が複数並列して設置され、当該パチンコ遊技機に電力を供給し得るとともに、遊技球が自重により流下する流路を具備したパチンコ遊技機の島設備において、
前記流路を流れる遊技球が有するエネルギを電力に変換する電力変換手段を有するとともに、当該電力変換手段が遊技球の落下に伴う圧力又は振動を電圧に変換する圧電素子から成るものであることを特徴とするパチンコ遊技機の島設備。
【請求項２】
前記電力変換手段は、遊技球が自重により落下する落下面に敷設されたことを特徴とする請求項１記載のパチンコ遊技機の島設備。
【請求項３】
パチンコ遊技機を介さず遊技球を流下させるオーバーフロー樋を具備し、当該オーバーフロー樋から自重により落下する遊技球の落下面に前記電力変換手段が敷設されたことを特徴とする請求項１又は請求項２記載のパチンコ遊技機の島設備。
【発明の詳細な説明】
【技術分野】
【０００１】
本発明は、パチンコ遊技機が複数併設され、当該パチンコ遊技機に電力を供給し得るとともに、各パチンコ遊技機に供給する遊技球が自重により流下する流路を具備したパチンコ遊技機の島設備に関するものである。
【背景技術】
【０００２】
通常、パチンコ遊技機の遊技盤に配設された液晶画面等から成る図柄表示手段は、３つの図柄を変動表示及び停止表示させ得るよう構成されている。そして、遊技球が始動口に入賞して始動条件が成立すると、図柄表示手段の図柄が変動表示され、所定時間経過した後に順次停止表示し、その３つの図柄が同じとなって揃った場合、所謂Ｖゾーンを有した大入賞口を所定タイミングで開閉させ、遊技者にとって有利な特別遊技状態、即ち大当たり状態とされる。
【０００３】
また、パチンコ遊技機には、遊技盤や前面枠に配設された装飾ランプ、各種役物を駆動させるためのソレノイド、遊技球を遊技盤の遊技領域に発射するための発射装置、及び賞球払出装置等の種々電気部品が配設され、それぞれの機能及び装飾効果を奏している。かかるパチンコ遊技機は、通常、パチンコ店内ホールの島設備において複数並列して設置され、それぞれの電気部品に電力が供給されるよう構成されている。
【０００４】
然るに、島設備には、各パチンコ遊技機に供給する遊技球が自重により流下する流路が形成されており、従来、当該流路を流れる遊技球のエネルギを電力に変換して利用する技術が例えば特許文献１にて開示されている。かかる島設備の電力変換手段は、遊技球の流れを受けて回転する羽根車を具備し、当該羽根車の回転を受けて発電し得るよう構成されていた。
【特許文献１】特開２００４−２３６８０９号公報
【発明の開示】
【発明が解決しようとする課題】
【０００５】
しかしながら、上記従来のパチンコ遊技機の島設備においては、電力変換手段が遊技球の流れを受けて回転する羽根車を利用して電力に変換するものであったので、電力の変換効率が悪く、十分な電力を得ることができないという問題があった。また、羽根車を設置する部位は、遊技球の流下経路の途中とせざるを得ず、当該遊技球のエネルギが最大となる位置での電力変換を行わせることができない。
【０００６】
本発明は、このような事情に鑑みてなされたもので、電力の変換効率を向上させることができるとともに、遊技球のエネルギが最大となる位置での電力変換を行わせて十分な電力を得ることができるパチンコ遊技機の島設備を提供することにある。
【課題を解決するための手段】
【０００７】
請求項１記載の発明は、パチンコ遊技機が複数並列して設置され、当該パチンコ遊技機に電力を供給し得るとともに、遊技球が自重により流下する流路を具備したパチンコ遊技機の島設備において、前記流路を流れる遊技球が有するエネルギを電力に変換する電力変換手段を有するとともに、当該電力変換手段が遊技球の落下に伴う圧力又は振動を電圧に変換する圧電素子から成るものであることを特徴とする。
【０００８】
請求項２記載の発明は、請求項１記載のパチンコ遊技機の島設備において、前記電力変換手段は、遊技球が自重により落下する落下面に敷設されたことを特徴とする。
【０００９】
請求項３記載の発明は、請求項１又は請求項２記載のパチンコ遊技機の島設備において、パチンコ遊技機を介さず遊技球を流下させるオーバーフロー樋を具備し、当該オーバーフロー樋から自重により落下する遊技球の落下面に前記電力変換手段が敷設されたことを特徴とする。
【発明の効果】
【００１０】
請求項１の発明によれば、電力変換手段が遊技球の落下に伴う圧力又は振動を電圧に変換する圧電素子から成るので、電力の変換効率を向上させることができるとともに、遊技球のエネルギが最大となる位置での電力変換を行わせて十分な電力を得ることができる。
【００１１】
請求項２の発明によれば、電力変換手段は、遊技球が自重により落下する落下面に敷設されたので、遊技球のエネルギが最大となる位置での電力変換を行わせてより十分な電力を得ることができる。
【００１２】
請求項３の発明によれば、パチンコ遊技機を介さず遊技球を流下させるオーバーフロー樋を具備し、当該オーバーフロー樋から自重により落下する遊技球の落下面に電力変換手段が敷設されたので、更に遊技球のエネルギが最大となる位置での電力変換を行わせてより十分な電力を得ることができる。
【発明を実施するための最良の形態】
【００１３】
以下、本発明の実施形態について図面を参照しながら具体的に説明する。
本実施形態に係るパチンコ遊技機の島設備は、図１に示すように、パチンコ遊技機２が複数並列して設置された島状のものから成る。かかる島設備１は、パチンコ遊技機２に電力を供給し得るとともに、各パチンコ遊技機２に供給する遊技球が自重により流下する流路を具備したものである。
【００１４】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１５】
島設備１は、パチンコ遊技機２に電力を供給し得る電力供給手段（不図示）を具備するとともに、図２、３で示すように、各パチンコ遊技機２に供給する遊技球が自重により流下する流路（４、５、６、８）や略垂直に上昇させる流路（１１）を具備したものである。即ち、島設備１の上部には、フィーダ３が配設されており、かかるフィーダ３から遊技球が各パチンコ遊技機２に供給されるよう構成されているのである。
【００１６】
具体的には、フィーダ３から下方に傾斜しつつ延設された供給流路４（補給樋）が左右に延びており、その途中が各パチンコ遊技機２と接続されることにより、当該供給流路４から各パチンコ遊技機２に遊技球が流下して供給されることとなる。そして、パチンコ遊技機２における入賞口或いはアウト穴から導かれた遊技球は、プールタンク７にて一時的に収容され、そこから流路８を介して研磨装置９に送られることとなる。
【００１７】
研磨装置９は、遊技球を研磨するためのもので、ここで研磨された遊技球が順次リフタ１０に送られることとなる。このリフタ１０は、垂直流路１１を介して遊技球をフィーダ３に供給するためのもので、かかるフィーダ３に供給された遊技球は再び供給流路４を介して各パチンコ遊技機２に供給されることとなる。而して、遊技球は、島設備１内において循環することとなり、必要量がパチンコ遊技機２に供給されることとなる。
【００１８】
一方、フィーダ３からは、パチンコ遊技機２を介さず遊技球を流下させるオーバーフロー樋５が延設されており、このオーバーフロー樋５の先端には、プールタンク７まで延びる落下流路６が接続されている。かかるオーバーフロー樋５は、供給流路４が遊技球で満杯となったときにフィーダ３の遊技球をプールタンク７まで直接流すためのものである。而して、遊技球は、オーバーフロー樋５から落下流路６を介して自重により落下してプールタンク７に至り、そこから流路８を介して研磨装置９及びリフタ１０に順次送られ、垂直流路１１を介してフィーダ３に導入されることとなる。
【００１９】
ここで、本実施形態においては、図４に示すように、オーバーフロー樋５から落下流路６を介して自重により落下する遊技球の落下面（落下流路６の先端開口６ａの直下）には、流路（落下流路６）を流れる遊技球が有するエネルギを電力に変換する電力変換手段１２が敷設されている。この電力変換手段１２は、遊技球の落下に伴う圧力又は振動を電圧に変換する圧電素子から成るものである。
【００２０】
より具体的には、電力変換手段１２は、２枚の圧電セラミックを貼り合わせ、それぞれのセラミックスに変位（力）を与えることで起電力を生じさせ得るもの（所謂「バイモルフ」構造体）であり、本実施形態においては、遊技球の落下に伴う運動エネルギを電力に変換するものとされる。変換された電力は、その島設備１或いは隣接する他の島設備１で消費される電力の一部（或いは全部であってもよい）として利用されることとなる。
【００２１】
本実施形態によれば、電力変換手段１２が遊技球の落下に伴う圧力又は振動を電圧に変換する圧電素子から成るので、電力の変換効率を向上させることができるとともに、遊技球のエネルギが最大となる位置（本実施形態においては、落下流路６の先端開口６ａの直下）での電力変換を行わせて十分な電力を得ることができる。また、電力変換手段１２は、遊技球が自重により落下する落下面に敷設されたので、遊技球のエネルギが最大となる位置での電力変換を行わせてより十分な電力を得ることができる。
【００２２】
更に、本実施形態によれば、パチンコ遊技機２を介さず遊技球を流下させるオーバーフロー樋５を具備し、当該オーバーフロー樋５から自重により落下する遊技球の落下面に電力変換手段１２が敷設されたので、更に遊技球のエネルギが最大となる位置での電力変換を行わせてより十分な電力を得ることができる。即ち、オーバーフロー樋５から流下する遊技球は、例えば供給流路４を介して流下する遊技球に比べ、運動エネルギが高いため、かかるオーバーフロー樋５から流下する遊技球のエネルギを電力に変換すれば、十分な電力を得ることができるのである。
【００２３】
尚、本実施形態の如く、遊技球の流れによって変換された電力を島設備１内に蓄電させることにより、パチンコ店の営業時間外において、例えばパチンコ遊技機の開放防止装置の稼働用電力として使用することができる。また、蓄電させた島設備において、他の島設備とは独立して電気制御を可能とすることもできる。
【００２４】
次に、本発明に係る他の実施形態について説明する。
本実施形態に係る島設備１’は、図５〜７に示すように、パチンコ遊技機２に電力を供給し得るとともに、各パチンコ遊技機２に供給する遊技球が自重により流下する流路を具備したものである。尚、上記実施形態と同様の構成要素には同一の符号を付し、それらの詳細な説明を省略する。
【００２５】
本島設備１’は、下部に一対のプールタンク７を具備するとともに、その間にリフタ１０が配設されている。かかるリフタ１０から上方に垂直流路１１が延設されるとともに、その上端部にはタンク１４が配設されている。このタンク１４は、図７に示すように、垂直流路１１の吐出口１１ａに配設されており、その内部には、当該吐出口１１ａから排出される遊技球を受ける受け板１３が配設されている。受け板１３には、同図に示すように、吐出口１１ａから排出された遊技球が当たる位置（遊技球の落下位置）に電力変換手段１２が配設されており、当該吐出口１１ａから排出されて落下する遊技球のエネルギにて電力変換を行わせ得るよう構成されている。
【００２６】
また、タンク１４の下方には更に別のタンク１５が配設されており、当該タンク１４からオーバーフローした遊技球を落下路１６を介して落下させ、タンク１５にて貯留し得るよう構成されている。このタンク１５の底面には、電力変換手段１２が配設されており、落下路１６を通って落下する遊技球のエネルギにて電力変換を行わせ得るよう構成されている。更に、タンク１５の下方にはプールタンク７に通じる受け台１７が配設されており、当タンク１５からオーバーフローした遊技球を受け台１７にて受け得るようになっている。この受け台１７には、電力変換手段１２が配設されており、タンク１５から落下する遊技球のエネルギにて電力変換を行わせ得るよう構成されている。
【００２７】
また更に、本実施形態においては、１つの島設備１’から隣接する島設備１’に島間通路１８が傾斜しつつ配設されている。そして、タンク１４をオーバーフローした遊技球の一部が自重にて島間通路１８を通り、隣接する島設備１’に供給されるよう構成されている。島間通路１８の吐出口には、電力変換手段１２が配設されており、当該島間通路１８を介して隣接する島設備１’に供給される遊技球のエネルギにて電力変換を行わせ得るよう構成されている。
【００２８】
尚、上記実施形態においては、島間通路１８が傾斜しつつ配設され、遊技球の自重にて隣接する島設備１’に供給され得るよう構成されているが、例えば図８に示すように、モータＭにて遊技球を上昇させ、隣接する島設備に島間通路１８’にて供給し得るものに適用することができる。この場合、隣接する島設備から供給された遊技球は、先ずタンク１４’に至るよう構成されており、そのタンク１４’の底面に電力変換手段１２が配設されている。
【００２９】
以上、本実施形態について説明したが、本発明はこれに限定されるものではなく、例えば遊技球が自重により流下する他の流路（供給流路４や流路８、或いはフィーダ３において垂直流路１１により上昇した遊技球が流下する部位等）に電力変換手段１２を配設するよう構成してもよい。また、本実施形態に係る島設備１は、プールタンク７、研磨装置９等が配設されているが、他の装置が配設されたもの、或いは研磨装置９等が配設されないもの等に適用することができる。
【産業上の利用可能性】
【００３０】
流路を流れる遊技球が有するエネルギを電力に変換する電力変換手段を有するとともに、当該電力変換手段が遊技球の落下に伴う圧力又は振動を電圧に変換する圧電素子から成るものであるパチンコ遊技機の島設備であれば、外観形状が異なるもの或いは他の機能が付加されたもの等に適用することができる。
【図面の簡単な説明】
【００３１】
【図１】本発明の実施形態に係るパチンコ遊技機の島設備を示す全体模式図
【図２】同島設備の内部構成を示す正面模式図
【図３】同島設備の内部構成を示す側面模式図
【図４】同島設備のプールタンク周辺を示す平面図
【図５】本発明の他の実施形態に係るパチンコ遊技機の島設備における内部構造を示す正面模式図
【図６】同島設備の内部構造を示す側面模式図
【図７】同島設備における垂直流路の吐出口近傍を示す拡大模式図
【図８】本発明の更に他の実施形態における島設備を示す模式図であって、（ａ）上面図（ｂ）側面図
【符号の説明】
【００３２】
１    島設備
２    パチンコ遊技機
３    フィーダ
４    供給流路
５    オーバーフロー樋（流路）
６    落下流路
７    プールタンク
８    流路
９    研磨装置
１０  リフタ
１１  垂直流路
１２  電力変換手段
【図１】
2010142386.tif 000003
【図２】
2010142386.tif 000004
【図３】
2010142386.tif 000005
【図４】
2010142386.tif 000006
【図５】
2010142386.tif 000007
【図６】
2010142386.tif 000008
【図７】
2010142386.tif 000009
【図８】
2010142386.tif 000010